【事件の表示】
　特願２０００−２８０５２７「日除けを取付可能な帽子」拒絶査定不服審判事件〔平成１４年　３月２７日出願公開、特開２００２−　８８５５５〕について、次のとおり審決する。
【結　論】
　本件審判の請求は、成り立たない。
【理　由】
１　手続の経緯
　本願は、平成１２年９月１４日の出願であって、平成１６年２月２７日付けで拒絶査定がなされ、これに対し、同年４月１日に拒絶査定に対する審判請求がなされるとともに、同年５月６日に手続補正がなされたものである。
２　平成１６年５月６日にした手続補正（以下、「本件手続補正」という。）についての補正却下の決定
〔補正却下の決定の結論〕
　本件手続補正を却下する。
〔理由〕
　本件手続補正は、明細書の特許請求の範囲の記載
「【請求項１】　帽子（１）の後ろ側に主日除け（１０）を、帽子（１）の両側に側部日除け（２０）を、各日除け（１０，２０）が帽子（１）から垂れ下がる状態で、帽子（１）に着脱自在に取り付けることができる帽子（１）であって、前記帽子（１）の両側に取り付ける前記側部日除け（２０）の各個の一部を、前記帽子本体（２）の前方に設けられたひさし（３）の両側にそれぞれ係止できるように構成し、前記側部日除け（２０）の前記ひさし（３）の下に垂れ下がる部分によって、前記帽子（１）の斜め前方から差し込む光を遮ることができるように構成したことを特徴とする日除けを取付可能な帽子。
　【請求項２】　帽子（１）の後ろ側に主日除け（１０）を、帽子（１）の両側に側部日除け（２０）を、各日除け（１０，２０）が帽子（１）から垂れ下がる状態で、帽子（１）に着脱自在に取り付けることができる帽子（１）であって、前記各日除け（１０，２０）を、前記帽子（１）が頭部に被せられた状態で、最も頭部に近接する前記帽子（１）の部位（４）に、係止部材（６，８）を介して直接取り付けられるようにしたことを特徴とする日除けを取付可能な帽子。
　【請求項３】　帽子（１）の後ろ側に主日除け（１０）を、帽子（１）の両側に側部日除け（２０）を、各日除け（１０，２０）が帽子（１）から垂れ下がる状態で、帽子（１）に着脱自在に取り付けることができる帽子（１）であって、前記帽子本体（２）の内側に設けられた折り返し部（４）の複数の所定箇所に、第１の係止部材（６）を取り付け、前記帽子本体（２）の前方に設けられたひさし（３）の両側の裏面にそれぞれ少なくとも１個の、前記第１の係止部材（６）とは異なる種類の第２の係止部材（７）を取り付け、前記主日除け（１０）には、前記第１の係止部材（６）に係合する第３の係止部材（８）を、前記第１の係止部材（６）の取付位置に対応させて取り付け、前記側部日除け（２０）には、前記第１の係止部材（６）に係合する第３の係止部材（８）と、前記第２の係止部材（７）に係合する第４の係止部材（９）を、前記第１と第２の係止部材（６，７）の取付位置に対応させて取り付け、前記主日除け（１０）と前記側部日除け（２０）とを取り付け位置を誤ることなく取り付けられるようにしたことを特徴とする日除けを取付可能な帽子。
　【請求項４】　請求項３に記載の日除けを取付可能な帽子（１）であって、前記帽子本体（２）の内側にある折り返し部（４）に複数箇所に設けられた第１の係止部材（６）が、前記帽子本体（２）の外側から取り付けられていることを特徴とする日除けを取付可能な帽子。
　【請求項５】　請求項３または４に記載の日除けを取付可能な帽子（１）であって、帽子（１）のサイズを帽子の後ろ側に設けられた調節バンド（５）で調節できるものにおいて、前記調節バンド（５）の、帽子（１）の内側に面する面に第５の係止部材（１１）を取り付けると共に、前記主日除け（１０）に、前記第５の係止部材（１１）に係合する第６の係止部材（１２）を、前記第５の係止部材（１１）の取付位置に対応させて取り付けたことを特徴とするもの。
　【請求項６】　請求項５に記載の日除けを取付可能な帽子（１）であって、前記第５と第６の係止部材（１１，１２）が、雌雄の面ファスナであることを特徴とするもの。
　【請求項７】　請求項３から６の何れか１項に記載の日除けを取付可能な帽子（１）であって、前記第１と第３の係止部材（６，８）が、雌雄の金属製スナップであることを特徴とするもの。
　【請求項８】　請求項３から７の何れか１項に記載の日除けを取付可能な帽子（１）であって、前記第２と第４の係止部材（７，９）が、雌雄の樹脂製スナップであることを特徴とするもの。
　【請求項９】　請求項５に記載の日除けを取付可能な帽子（１）であって、前記調節バンド（５）の調整部材である第７と第８の係止部材（２１，２２）が雌雄の樹脂製スナップであることを特徴とするもの。
　【請求項１０】　請求項８に記載の日除けを取付可能な帽子（１）であって、前記第１から第４の係止部材（６〜９）に彩色が施されており、帽子（１）側の係止部材（６，７）と各日除け（１０，２０）側の係止部材（８，９）の、取付位置が対応する雌雄の係止部材同士が同じ色彩になっていることを特徴とするもの。
　【請求項１１】　請求項１から１０の何れか１項に記載の日除けを取付可能な帽子（１）であって、前記帽子本体（２）の中腹部と、前記側部日除け（２０）にそれぞれ第９と第１０の係止部材（２３，２４）を設け、前記側部日除け（２０）を不要時に跳ね上げて帽子本体（２）に固定できるように構成したことを特徴とするもの。」を、
「【請求項１】　帽子（１）の後ろ側に主日除け（１０）を、帽子（１）の両側に側部日除け（２０）を、各日除け（１０，２０）が帽子（１）から垂れ下がる状態で、帽子（１）に着脱自在に取り付けることができる帽子（１）であって、前記帽子本体（２）の複数の所定箇所に、第１の係止部材（６）を取り付け、前記帽子本体（２）の前方に設けられたひさし（３）の両側にそれぞれ少なくとも１個の、前記第１の係止部材（６）とは異なる種類の第２の係止部材（７）を取り付け、前記主日除け（１０）には、前記第１の係止部材（６）に係合する第３の係止部材（８）を、前記第１の係止部材（６）の取付位置に対応させて取り付け、前記側部日除け（２０）には、前記第１の係止部材（６）に係合する第３の係止部材（８）と、前記第２の係止部材（７）に係合する第４の係止部材（９）を、前記第１と第２の係止部材（６，７）の取付位置に対応させて取り付け、前記主日除け（１０）と前記側部日除け（２０）とを取り付け位置を誤ることなく取り付けられるようにしたことを特徴とする日除けを取付可能な帽子。
　【請求項２】　日除けを取付可能な帽子（１）であって、帽子（１）のサイズを帽子の後ろ側に設けられた調節バンド（５）で調節できるものにおいて、前記調節バンド（５）の、帽子（１）の内側に面する面に第５の係止部材（１１）を取り付けると共に、前記主日除け（１０）に、前記第５の係止部材（１１）に係合する第６の係止部材（１２）を、前記第５の係止部材（１１）の取付位置に対応させて取り付けたことを特徴とする日除けを取付可能な帽子。
　【請求項３】　請求項２に記載の日除けを取付可能な帽子（１）であって、前記第５と第６の係止部材（１１，１２）が、雌雄の面ファスナであることを特徴とするもの。」
と補正することを含むものである。
　そこで、上記補正について検討すると、補正後の請求項２は、補正前の特許請求の範囲に記載されたいずれかの請求項において発明を特定する事項を限定したものであるとは認められないので、上記補正は、特許法第１７条の２第４項第２号に規定する特許請求の範囲の減縮を目的とするものではなく、また、同項第３号に規定する誤記の訂正、同項第４号に規定する明瞭でない記載の釈明を目的とするものでもない。
　したがって、本件手続補正は、特許法第１７条の２第４項の規定に違反しており、特許法第１５９条第１項において読み替えて準用する同法第５３条第１項の規定により、却下すべきものである。
　
３　本願発明について
（１）本願発明
　平成１６年５月６日にした手続補正は上記のとおり却下されたので、本願の請求項１ないし１１に係る発明は、願書に最初に添付した明細書の特許請求の範囲の請求項１ないし１１に記載され事項により特定されるものであると認められるところ、請求項１は、次のとおり記載されている。
「【請求項１】　帽子（１）の後ろ側に主日除け（１０）を、帽子（１）の両側に側部日除け（２０）を、各日除け（１０，２０）が帽子（１）から垂れ下がる状態で、帽子（１）に着脱自在に取り付けることができる帽子（１）であって、前記帽子（１）の両側に取り付ける前記側部日除け（２０）の各個の一部を、前記帽子本体（２）の前方に設けられたひさし（３）の両側にそれぞれ係止できるように構成し、前記側部日除け（２０）の前記ひさし（３）の下に垂れ下がる部分によって、前記帽子（１）の斜め前方から差し込む光を遮ることができるように構成したことを特徴とする日除けを取付可能な帽子。」
　（以下、請求項１に係る発明を「本願発明」という。）
　
（２）引用例の記載事項
（２−１）原査定の拒絶の理由に引用された、本願の出願前に頒布された刊行物である登録実用新案第３０４４９７６号公報（以下、「引用例１」という。）には、次の記載がある。
　ａ「【０００１】【考案の属する技術分野】 本考案は、日除け兼用の帽子に係り、さらに詳しくは日除けの不用な場合には、日除け用垂布を取り外しうるようにした帽子に関するものである。」
　ｂ「【０００５】【考案が解決しようとする課題】 叙上の事情に鑑み、本考案は垂布の着脱容易な日除け兼用帽子の提供を課題とする。」
　ｃ「【実用新案登録請求の範囲】
【請求項１】  帽子の後部下縁に、多数のル−プと鉤型またはキノコ型小片とからなり係合離脱しうるファスナーの一方を取着し、ファスナーの他方を垂布の上端に取着し、該垂布を帽子にファスナー同士を係合させた際、襟首等を日除けしうるようにしたことを特徴とする日除け兼用帽子。
【請求項２】  垂布が三片からなり、該三片の垂布を帽子に係合させた際、襟首とともに両耳部も日除けしうるようにした請求項１記載の日除け兼用帽子。」
　ｄ「【００１０】 垂布７の一片は襟首の日除け用のもので……垂布８，９の残る二片は両耳部の日除け用のものである……」
　ｅ「【００１４】  従って本考案の帽子１は必要に応じて、帽子の後部あるいは両サイドに、垂布を係合させ、襟首あるいは両耳部を直射日光から避けることができる。」
　ｅ「【００１６】  本考案の日除け用帽子は、特に係合離脱が容易なファスナ−を使用したので、取付け、取外しを簡単に行なうことができる。」
　以上の記載及び図１によれば、引用例１には、
「帽子の後ろ側に襟首の日除け用垂布７を、帽子の両側に耳部の日除け用垂布８、９を、各垂布が帽子から垂れ下がる状態で、帽子に簡単に取付け、取外しができる帽子であって、耳部の日除け用垂布８により両耳部を直射日光から避けることができるようにした、日除けを取付け可能な帽子」
の発明が記載されていると認められる。
（２−２）同じく原査定の拒絶の理由に引用された、本願の出願前に頒布された刊行物である特開平１１−３５０２２７号公報（以下、「引用例２」という。）には、次の記載がある。
　ｆ「【０００７】…本発明は、野球帽のように、帽子の前方にしかひさしが設けられていない帽子において、炎天下における後方や側面からの日差しを遮ることに加えて、斜め前方からの日差しも遮ることが可能であり、しかも日除けの取り付け位置を調節することにより、日差しの向きが変わっても日差しを遮ることが可能な帽子を提供することを目的とする。」
　ｇ「【０００８】【課題を解決するための手段】前記目的を達成する本発明の日除けを取付可能な帽子の基本的な構成は、日除けを帽子から垂れ下がる状態で、帽子に着脱自在に取り付けることができる帽子であって、帽子本体のひさしを除く周囲に、日除けを取り付けるための第１の係止手段を設けると共に、帽子のひさしの縁部近傍に、日除けを取り付けるための第２の係止手段を設け、日除けの縁部には、第１の係止手段に係合する第３の係止手段と、第２の係止手段に係合する第４の係止手段を設け、第３の係止手段の第１の係止手段に対する取付状態、及び第４の係止手段の第２の係止手段に対する取付状態を変更することにより、帽子本体の背面、側面、及び帽子のひさしの任意の位置に、日差しの向きに応じて日除けを取付位置を変えて取り付けられるようにしたことを特徴としている。」
　ｈ「【００１８】図２（ａ）は図１のように構成された第１の実施例の日除けを取付可能な帽子１に日除け１０を取り付けた状態を示すものである。この図は帽子１の左右に２枚の日除け１０を取り付けた状態を示している。第１の実施例の日除けを取付可能な帽子１では、ひさし３にも第２の係止部材１２を設けてあるので、（ａ）の状態から日差しの向きが帽子１の左前方に変わった場合は、（ｂ）に示すように、左側の日除け１０を第２の係止部材１２の方向に移動させ、右側の日除け１０をこれに隣接するように移動させることができる。」
　ｉ「【００３６】【発明の効果】以上説明したように、本発明は、野球帽のように、帽子の前方にしかひさしが設けられていない帽子において、炎天下における後方や側面からの日差しを遮ることに加えて、斜め前方からの日差しも遮ることが可能であり、しかも日除けの取り付け位置を調節することにより、日差しの向きが変わっても日差しを遮ることが可能であるという効果がある。」
　そして、図２（ｂ）には、帽子本体とひさしに亘って日除け１０を係止した状態が示されている。
　以上の記載並びに図１及び図２によれば、引用例２には、
「日除けを帽子から垂れ下がる状態で、帽子に着脱自在に取り付けることができる帽子であって、帽子本体のひさしを除く周囲に、日除けを取り付けるための第１の係止手段を設けると共に、帽子のひさしの縁部近傍に、日除けを取り付けるための第２の係止手段を設け、日除けの縁部には、第１の係止手段に係合する第３の係止手段と、第２の係止手段に係合する第４の係止手段を設け、帽子本体とひさしに亘って日除けを取り付けることにより、側面からの日差しを遮ることに加えて、斜め前方からの日差しを遮ることができる帽子」
の発明が記載されていると認められる。
　
（３）対比
　本願発明と引用例１記載の発明とを対比すると、引用例１記載の発明の「襟首の日除け用垂布７」、「耳部の日除け用垂布８」及び「帽子に簡単に取付け、取外しができる」は、それぞれ本願発明の「主日除け」、「側部日除け」及び「着脱自在に取り付けることができる」に対応するから、両者は、
「帽子の後ろ側に主日除けを、帽子の両側に側部日除けを、各日除けが帽子から垂れ下がる状態で、帽子に着脱自在に取り付けることができる、日除けを取付け可能な帽子」
である点で一致し、次の点で相違する。
　相違点
　本願発明では、帽子の両側に取り付ける側部日除けの各個の一部を、帽子本体の前方に設けられたひさしの両側にそれぞれ係止できるように構成し、側部日除けのひさしの下に垂れ下がる部分によって、帽子の斜め前方から差し込む光を遮ることができるように構成したのに対し、引用例１記載の発明では、側部日除けにより両耳部を直射日光から避けることができるようにしているものの、帽子の両側に取り付ける側部日除けの各個の一部を、帽子本体の前方に設けられたひさしの両側にそれぞれ係止できるように構成されておらず、側部日除けのひさしの下に垂れ下がる部分によって、帽子の斜め前方から差し込む光を遮ることができるように構成されていない点。
　
（４）相違点の検討
　そこで、上記相違点について検討する。
　引用例２には、「日除けを帽子から垂れ下がる状態で、帽子に着脱自在に取り付けることができる帽子であって、帽子本体のひさしを除く周囲に、日除けを取り付けるための第１の係止手段を設けると共に、帽子のひさしの縁部近傍に、日除けを取り付けるための第２の係止手段を設け、日除けの縁部には、第１の係止手段に係合する第３の係止手段と、第２の係止手段に係合する第４の係止手段を設け、帽子本体とひさしに亘って日除けを取り付けることにより、側面からの日差しを遮ることに加えて、斜め前方からの日差しを遮ることができる帽子」の発明が記載されている。そして、引用例１記載の発明と引用例２記載の発明は、共に、日除けを帽子から垂れ下がる状態で、帽子に着脱自在に取り付けることができる帽子に関するものであるから、引用例１記載の発明において、両耳部を直射日光から避けることができるようにすることに加えて、斜め前方からの日差しを遮ることができるように、側部日除けをひさしに係止できるように構成し、本願発明の相違点に係る事項とすることは、引用例２記載の発明に基づいて当業者が容易に想到し得たことといえる。
　しかも、本願発明が奏する効果も、引用例１及び２記載の発明から当業者が予測できる範囲のものであって、格別顕著なものとはいえない。
　したがって、本願発明は、引用例１及び２記載の発明に基いて当業者が容易に発明をすることができたものである。
　
（５）むすび　
　以上のとおりであるから、本願発明は、特許法２９条２項の規定により特許を受けることができないものであり、他の請求項に係る発明について検討するまでもなく、本願は拒絶されるべきものである。
　よって、結論のとおり審決する。